(57)【要約】【課題】専用電池を内蔵し、詰め替え防止の対策を施したレンズ付きフイルムユニットを提供することを目的とするものである。【解決手段】レンズ付きフイルムユニット２のユニット本体３は、露光装置１６、ストロボ装置１７が組み付けられた本体基部１９、及びその前後を覆う前カバー２０、後カバー２１からなる。本体基部１９は、パトローネ室２２、フイルムロール室２３、アパーチャ２４が形成されている。これらパトローネ室２２、フイルムロール室２３、アパーチャ２４の背面が後カバー２１により塞がれ遮光空間４５が形成されている。電池４１は、アパーチャ２４の下方部に組み込まれている。本体基部１９には、突出部１９ａ，１９ｂが一体に形成されている。突出部１９ａは、電池４１の正極端子４２の付近に位置し、中空構造となっている。突出部１９ａの中空部５０が、遮光空間４５に連続している。【選択図】        図４
2004341332.tif 000002
【特許請求の範囲】
【請求項１】
パトローネ室、フイルムロール室、及びアパーチャを含む遮光空間が内部に形成され、電源となる電池が内蔵されたユニット本体を備えたレンズ付きフイルムユニットにおいて、
前記電池として専用電池を使用するとともに、前記ユニット本体から前記専用電池の少なくともいずれか一方の端部付近に突出し、内部を中空構造とした中空突出部を設けており、この中空突出部の内部に形成された中空部と、前記遮光空間とが連続して形成されていることを特徴とするレンズ付きフイルムユニット。
【請求項２】
前記専用電池は、その外形寸法が、直径９ｍｍ以上且つ１５ｍｍ以下、軸長４０ｍｍ以下の略円柱形状であることを特徴とする請求項１記載のレンズ付きフイルムユニット。
【請求項３】
前記専用電池の軸長をＬｍｍとすると、前記中空部のうち少なくともその一部は、前記専用電池の他方の端面からＬ＋１ｍｍ以上、且つＬ＋１５ｍｍ以下の範囲内に位置していることを特徴とする請求項１又は２記載のレンズ付きフイルムユニット。
【請求項４】
前記中空突出部の内壁面から、前記専用電池の他方の端面までの距離がＬ＋１ｍｍ以上、且つＬ＋１５ｍｍ以下の範囲内にあることを特徴とする請求項１ないし３いずれか１つ記載のレンズ付きフイルムユニット。
【発明の詳細な説明】
【０００１】
【発明の属する技術分野】
本発明は、レンズ付きフイルムユニットに関するものであり、更に詳しくは、専用の電池を内蔵するレンズ付きフイルムユニットに関するものである。
【０００２】
【従来の技術】
予め写真フイルムが装填された１回使用型の簡易型カメラとして、レンズ付きフイルムユニットが知られている。従来、レンズ付きフイルムユニットには、単３、単４型規格の乾電池が内蔵されることが一般的である。この単３，４型規格の乾電池は主に、レンズ付きフイルムユニットに組み込まれたストロボ装置の電源として用いられる。また、近年では、環境負荷の低減を図るために、ストロボ回路の省電力設計も進み、容量の大きい単３型から、より小さい単４型電池又はさらに小型の電池への切り替えが考えられており、このような小型の電池を使用することで、ＣＯ２  排出量の低減を図ることが望まれている。
【０００３】
上述したようにレンズ付きフイルムユニットに内蔵される乾電池は、レンズ付きフイルムユニットを構成する他の部品群と比較しても、寸法、重量ともに大きく、レンズ付きフイルムユニットの小型化を図るためには、乾電池の配置に様々な工夫を施すことが必要だった。
【０００４】
そこで、特許文献１では、レンズ付きフイルムユニットのユニット本体の構成が、撮影レンズなどを保持する鏡胴部、パトローネを収納するパトローネ室、及びフイルムを巻き取っておくスクロール室とからなり、鏡胴部とパトローネ室との間隙に乾電池を配置するとともに、この乾電池の反対側、すなわち鏡胴部とスクロール室との間隙に、ストロボ用のメインコンデンサを配置することによって部品配置の効率を向上し、レンズ付きフイルムユニットの小型化に寄与することを可能としている。
【０００５】
ところで、上述したようなレンズ付きフイルムユニットは、その殆どの構成部品がリサイクル利用されるように設計されており、レンズ付きフイルムユニットを製造した正規のメーカーは、リサイクルに際してストロボ装置を含む殆どの構成部品を分解し、洗浄、検査後に再び製造ラインに投入している。これにより、リサイクルされたレンズ付きフイルムユニットの品質を、新規に製造されたレンズ付きフイルムユニットと何ら変わらない高品質に維持している。
【０００６】
一方、現在市販されているレンズ付きフイルムユニットの中には、ユニット本体を製造した正規のメーカーとは異なる第三者が、撮影済の写真フイルムカートリッジを抜き取った後の使用済みのユニット本体に、そのまま未使用の写真フイルムを再装填するとともに、電池などの消耗部品を新しいものと交換して販売している、いわゆる詰め替え製品と称されるものがある。
【０００７】
このような、正規の製造者とは異なる第三者がユニット本体を不正に再利用した、いわゆる詰め替え製品は、適正な検査や修理が行われずに販売されるため、信頼性に乏しいという問題がある。さらに、詰め替え製品に発生する問題は、レンズ付きフイルムユニットそのものに対する信頼性を傷つける。また、上述したようなメーカーによるリサイクルの促進も妨げることになるため、レンズ付きフイルムユニットの再使用防止のための工夫が必要とされている。
【０００８】
【特許文献１】
特開平１０−２５４０３３号公報
【発明が解決しようとする課題】
【０００９】
そこで、上述したようなレンズ付きフイルムユニットの小型化を図るとともに、不正な詰め替え使用を防止するための工夫として、従来の単３，４型規格とは異なる寸法のレンズ付きフイルムユニット専用の電池を使用することが考えられている。すなわち、このような専用電池を使用することで、レンズ付きフイルムユニット内部の部品配置の効率を向上して小型化を可能とし、かつ専用電池を抜き取っても単３，４型規格の乾電池を内蔵することが困難であるため、詰め替えの防止にもつながる。さらに、小型の専用電池を使用することで環境負荷の低減を図ることもできる。
【００１０】
しかしながら、これまでは専用電池をレンズ付きフイルムユニットに内蔵することは、余り考えられていなかったため、専用電池を使用するだけでは、第３者による詰め替え防止のための対策としては不十分である。そこで、このような専用電池に組み合わせるレンズ付きフイルムユニットのユニット本体側にも工夫を施して、詰め替え防止の効果をさらに向上させることが望まれている。
【００１１】
本発明は上記課題を解決するためになされたものであり、従来の規格に合わせた乾電池とは異なる寸法の専用電池を内蔵し、詰め替え防止の対策を施したレンズ付きフイルムユニットを提供することを目的とするものである。
【００１２】
【課題を解決するための手段】
前記目的を達成するために、本発明のレンズ付きフイルムユニットでは、パトローネ室、フイルムロール室、及びアパーチャを含む遮光空間が内部に形成され、電源となる電池が内蔵されたユニット本体を備えたレンズ付きフイルムユニットにおいて、前記電池として専用電池を使用するとともに、前記ユニット本体から前記専用電池の少なくともいずれか一方の端部付近に突出し、内部を中空構造とした中空突出部を設けており、この中空突出部の内部に形成された中空部と、前記遮光空間とが連続して形成されている。
【００１３】
なお、前記専用電池は、その外形寸法が、直径９ｍｍ以上且つ１５ｍｍ以下、軸長４０ｍｍ以下の略円柱形状であることが好ましい。さらに、前記専用電池の軸長をＬｍｍとすると、前記中空部のうち少なくともその一部は、前記専用電池の他方の端面からＬ＋１ｍｍ以上、且つＬ＋１５ｍｍ以下の範囲内に位置していることが非常に効果的である。また、前記中空突出部の内壁面から、前記専用電池の他方の端面までの距離がＬ＋１ｍｍ以上、且つＬ＋１５ｍｍ以下の範囲内にあることも好ましい。
【００１４】
【発明の実施の形態】
図１は、本発明のレンズ付きフイルムユニット２を示す外観斜視図であり、図２は、その分解斜視図である。このレンズ付きフイルムユニット２は、各種撮影機構が組み込まれたユニット本体３と、このユニット本体３を部分的に覆う外装用のラベルシート４とから構成されている。ユニット本体３の前面には、撮影レンズ５、対物側ファインダ窓６、ストロボ発光窓７、ストロボ充電切替スイッチ８等が設けられている。また、ユニット本体３の上面には、レリーズボタン１１、残り撮影可能コマ数を表示するカウンタ窓１２、ストロボ充電表示用のライトガイド１３が形成されている。さらに、ユニット本体３の背面側には、巻上げノブ１４、接眼側ファインダ窓などが露呈される。
【００１５】
図２に示すように、ユニット本体３は、露光装置１６、ストロボ装置１７等が組み込まれる本体基部１９と，その本体基部１９の前後を覆うように取り付けられる前カバー２０、及び後カバー２１とから構成されている。前カバー２０には、撮影レンズ５、対物側ファインダ窓６、ストロボ発光部７、ストロボ充電切替スイッチ８等を露呈するための開口が形成されている。
【００１６】
本体基部１９には、左右にパトローネ室２２とフイルムロール室２３と、それらの間に位置するアパーチャ２４（図３参照）とが一体に形成されており、アパーチャ２４の前方に露光装置１６が設けられている。また、露光装置１６とフイルムロール室２３との間には、ストロボ装置１７が爪結合により取り付けられる。また、パトローネ室２２及びフイルムロール室２３には、フイルムカートリッジ２５と写真フイルム２６とをロール状にしたフイルムロール２６ａとがそれぞれ装填される。このパトローネ室２２の上部には巻上げノブ１４が回動自在に配置され、その下部に一体に設けられた軸部材がパトローネ室２２に収納されたフイルムカートリッジ２５のスプール２５ａに係合される。この巻上げノブ１４を図中反時計方向に回動させることにより、撮影済の写真フイルム２６がフイルムカートリッジ２５内に巻き上げられる。
【００１７】
後カバー２１は、本体基部１９の背面を覆うように取り付けられ、本体基部１９との間に，フイルムロール室２３からアパーチャ２４の背後を通ってパトローネ室２２に至るまでのフイルム給送路２７を形成する。このフイルム給送路２７を通って写真フイルム２６がフイルムロール室２３からパトローネ室２２の内部に装填されたフイルムカートリッジ２５に収納される。また、後カバー２１には、その底部に底蓋２１ａ，２１ｂが形成されており、これらの底蓋２１ａ，２１ｂによってパトローネ室２２とフイルムロール室２３の底部が光密に閉じられる。
【００１８】
ストロボ装置１７は、詳しくは図３に示すように、回路基板３０にストロボ発光部７、メインコンデンサ３１、シンクロスイッチ３２等を組み付けてユニット化したものである。ストロボ充電切替スイッチ８が上方に向けてスライドされると、回路基板３０上に設けられた金属接片３０ａがＯＮとなりメインコンデンサ３１への充電が開始される。このストロボ装置１７は、シャッタ機構を作動させたときに回動するシャッタ羽根（図示せず）によりシンクロスイッチ３３が短絡し、ストロボ光を発光させるようになっている。
【００１９】
回路基板３０の一端には、正極接片３８と負極接片３９とからなる電池ホルダ４０が形成され、専用電池（以下、単に電池と称する。）４１を装着してストロボ回路に給電を行う。正極接片３８、及び負極接片３９は全体が金属板で折り曲げ形成され、電池４１の正極端子４２と負極端子４３に各々接触し、弾性により電池４１を保持する。
【００２０】
本実施形態において使用される電池４１は、レンズ付きフイルムユニット２専用の電池であり、従来の規格、例えば単３，単４型の電池とは異なる寸法のものである。さらに、正極端子４２の形状が従来規格の電池とは異なる形状で、電池４１の軸方向と直交する平面状となっている。なお、この電池４１の外形寸法は、直径Ｄ＝９ｍｍ以上、且つ１５ｍｍ以下、軸長Ｌ１  ＝４０ｍｍ以下の略円筒形状であることが好ましく、また、直径Ｄ＝９ｍｍ以上、且つ１１ｍｍ以下、軸長Ｌ１  ＝３８ｍｍ以下であることがさらに好ましい。
【００２１】
さらに、電池４１の表面には、商品名や模様などを表すためのラベル４４が貼付されており、このラベル４４には、図３に示すように、レンズ付きフイルムユニット専用の電池であることを示すための注意書き４４ａが標記されている。またさらに、ラベル４４には、正極端子側であることを示すための「＋」印の図柄４４ｂ、及び負極端子側であることを示すための「−」印の図柄４４ｃが標記されている。
【００２２】
また、電池ホルダ４０を構成する正極接片３８及び負極接片３９の寸法は、電池４１の寸法に合わせて形成されており、正極端子４２と接触する正極接片３８の接触部３８ａと、負極端子４３と接触する負極接片３９の接触部３９ａの間隔ＬＤは、電池１の軸長Ｌ１  に合わせて形成されている。
【００２３】
レンズ付きフイルムユニット２の内部における電池４１の周囲は、詳しくは図４に示すような構成となっている。すなわち、電池４１は、電池ホルダ４０によって保持されてストロボ装置１７とともに本体基部１９に固定されることによりアパーチャ２４の下方に位置し、さらに前カバー２０及び後カバー２１によって覆われている。
【００２４】
本体基部１９には、上述したように、パトローネ室２２、フイルムロール室２３、及びアパーチャ２４が形成されており、これらの背後を後カバー２１が光密に塞ぐことによって、その内部に遮光空間４５が形成されている。さらに、この本体基部１９には、電池４１の両端部を囲むように突出する突出部１９ａ，１９ｂが一体に形成されており、この突出部１９ａ，１９ｂが正極端子４２、及び負極端子４３の付近に位置し、正極接片３８及び負極接片３９と当接する。
【００２５】
上述した突出部１９ａ，１９ｂのうち、正極端子４２側に位置する突出部１９ａは、その内部が中空構造となった中空突出部となっている。この中空突出部１９ａの内部の中空部５０は、その背面側から、フイルム給送路２７の内部と連続するように形成されている。これにより、中空部５０は、遮光空間４５と連続する空間となっている。
【００２６】
この中空部５０は、その水平断面形状が壁面５０ａ〜ｃで囲まれた略矩形状に形成されている。なお、この中空部５０を構成する壁面５０ａ〜ｃは、以下に述べる説明の都合上から、正極端子４２側に位置している壁面を符号５０ａとし、この壁面５０ａと対面する位置で、パトローネ室２２側に位置する壁面を符号５０ｂとし、これらの間をつなぐ壁面を符号５０ｃとして区別している。
【００２７】
そして、中空部５０は電池４１の寸法に合わせて設けられており、その位置は、負極端子４３の端面の位置から壁面５０ａまでの距離をＬ２  、負極端子４３  の端面の位置から壁面５０ｂまでの距離をＬ３  とすると、Ｌ２  ≧（Ｌ１  ＋１）  ｍｍ、Ｌ３  ≦（Ｌ１  ＋１５）ｍｍ（但し、Ｌ１  ＝電池４１の軸長）となるように形成されている。
【００２８】
上記構成の作用について、以下に説明する。レンズ付きフイルムユニット２が正規のメーカー以外の第三者に回収され、不正な詰め替えが施されようとしたとき、上述したように、電池４１の両端が正極接片３８及び負極接片３９によって保持され、本体基部１９によって周りが囲まれるようにして収納されており、さらに、本体基部１９から突出する中空突出部１９ａが形成されているので、電池４１を取り外しても、突出部１９ａ，１９ｂ及び正負極接片３８，３９が干渉するので従来規格の電池を入れることは困難である。
【００２９】
さらに、不正な詰め替えの手法として、従来規格の電池を挿入する際に干渉する中空突出部１９ａを、切削加工等の作業によって取り除くことが考えられるが、中空突出部１９ａを取り除くと、上述した遮光空間４５へ光が漏れることとなり、レンズ付きフイルムユニット２は使用不能となる。あるいは、中空突出部１９ａを取り除いた後の開口を塞いで遮光を行うことも考えられるが、開口を完全に塞ぐには手間がかかり、貼着テープなどの簡易的な方法では内部の遮光が不完全になりやすいので、やはりレンズ付きフイルムユニット２の詰め替え使用は困難である。
【００３０】
なお、上記実施形態においては、正極端子４２の付近に位置する突出部１９ａを中空突出部として遮光空間４５と連続するように形成しているが、これに限るものではなく、負極端子４３側の突出部１９ｂ、又は突出部１９ａ，１９ｂの両方を、同様の構造としてもよい。
【００３１】
また、上記実施形態においては、略矩形状に形成された中空突出部１９ａを例に上げているが、これに限るものではなく、図５に示すような形状、及び位置に形成された中空突出部５５でもよい。なお、図５においては、上記実施形態と同様の部材、及び部品については、同符号を付し、説明を省略する。
【００３２】
図５に示す中空突出部５５では、上記実施形態と同様にアパーチャ２４の下方部に位置している。さらに中空突出部５５の後方部はフイルム給送路２７の一部と連続し、側方部はパトローネ室２２と連続するように形成されており、フイルム給送路２７から前方に延びる前面壁と、パトローネ室２２から正極端子４２側に向かって延びる側面壁とが交差する「Ｌ」字形状の断面に形成されている。これによって、中空突出部５５の内部に形成された中空部５６は、パトローネ室２２及びフイルム給送路２７と連続する空間となっている。そして、中空部５６を構成する壁面のうち、正極端子４２側に位置している壁面を符号５６ａとし、パトローネ室２２と連続する壁面５６ｂの端縁部を符号５６ｃとして、負極端子４３の端面の位置から壁面５６ａまでの距離をＬ４  、負極端子４３の端面の位置から端縁部５６ｃまでの距離をＬ５  とすると、Ｌ４  ≧（Ｌ１  ＋１）ｍｍ、Ｌ５  ≦（Ｌ１  ＋１５）ｍｍ（但し、Ｌ１  ＝電池４１の軸長）となるように形成されている。これによって、上記実施形態と同様に従来規格の電池の挿入を阻止することが可能である。さらに、中空突出部５５を取り除いた場合には、遮光空間４５のうち、特にパトローネ室２２及びフイルム給送路に光が漏れることとなり、レンズ付きフイルムユニットを使用不能にすることができるので、不正な詰め替え使用を確実に防止することができる。
【００３３】
なお、上記実施形態においては、略円柱形状の専用電池４１を例に上げて説明しているが、専用電池の形状はこれに限るものではなく、例えば、外周径の一部分が細い円柱部となっている段差付きの形状のものを使用することもできる。そして、この場合でも上記実施形態と同様に、中空突出部が専用電池の付近まで突出する形状にすることによって、同様の詰め替え防止効果を得ることが可能となる。
【００３４】
また、上記実施形態においては、中空突出部が形成される位置として、フイルム給送路２７から連続する位置を例に上げているが、この位置に限るものではなく、ユニット本体３の内部に形成された遮光空間４５から連続する位置であればどの位置でもよい。さらにまた、専用電池４１を内蔵する位置についても上記例のようにアパーチャ２４の下方部の位置に限るものではなく、中空突出部の付近に専用電池４１の一部が近接していればどのような位置でもよい。そして、このように遮光空間４５から連続する位置に中空突出部があり、その付近に専用電池４１が位置していれば、上記実施形態と同様の詰め替え防止効果を得ることが可能である。
【００３５】
【発明の効果】
以上詳細に説明したように、本発明のレンズ付きフイルムユニットは、内蔵する電池として専用電池を使用するとともに、ユニット本体から専用電池のいずれか一方の端部付近に突出し、内部を中空構造とした中空突出部を設けており、この中空突出部の内部に形成された中空部と、遮光空間とが連続して形成されているので、電池の詰め替えを行うことを困難にし、また、中空突出部を取り除くと遮光性が不完全になり使用不能となるので、レンズ付きフイルムユニットの不正な詰め替え使用を確実に防止することが可能となる。
【００３６】
さらに、請求項２記載のレンズ付きフイルムユニットでは、専用電池の軸長をＬｍｍとすると、中空部のうち少なくともその一部は、専用電池の他方の端面からＬ＋１ｍｍ以上、且つＬ＋１５ｍｍ以下の範囲内に位置しているから、従来規格の電池を挿入する際に中空突出部が干渉する位置にあるため、電池の詰め替えをさらに困難にしている。
【００３７】
また、請求項３記載のレンズ付きフイルムユニットでは、専用電池は、その外形寸法が、直径９ｍｍ以上且つ１５ｍｍ以下、軸長４０ｍｍ以下の略円柱形状としているので、電池の詰め替え防止に対してさらに効果的になっている。
【図面の簡単な説明】
【図１】レンズ付きフイルムユニットの外観斜視図である。
【図２】レンズ付きフイルムユニットの分解斜視図である。
【図３】本体基部及びストロボ装置の外観斜視図である。
【図４】レンズ付きフイルムユニットの要部断面図である。
【図５】別の実施例を適用したレンズ付きフイルムユニットの要部断面図である。
【符号の説明】
２  レンズ付きフイルムユニット
３  ユニット本体
１９  本体基部
１９ａ，１９ｂ，５５  突出部
２２  パトローネ室
２３  フイルムロール室
２４  アパーチャ
４５  遮光空間
５０，５６  中空部
【図１】
2004341332.tif 000003
【図２】
2004341332.tif 000004
【図３】
2004341332.tif 000005
【図４】
2004341332.tif 000006
【図５】
2004341332.tif 000007